(57)【要約】【課題】繁雑な操作を行うことなく安否の報告を行う。【解決手段】サーバ装置３０は、安否の報告を要求する要求メッセージを携帯端末１０へ送信する。撮影部で常時撮影を行っている携帯端末１０は、要求メッセージを受信すると、撮影部をユーザの身体の撮影に適した状態にした後、安否の報告を要求する報知音を放音する。ユーザは、手の形を安否に応じた形とし、撮影部の前に移動させる。携帯端末１０は、ユーザの手の形を認識し、拳の形を認識した場合には、「異変あり」の安否情報を生成し、指を開いた手の形を認識した場合には、「異変なし」の安否情報を生成する。携帯端末１０は、生成した安否情報をサーバ装置３０へ送信する。【選択図】図１
2018163430.tif 000002
【特許請求の範囲】
【請求項１】
ユーザに装着された状態で当該ユーザの周囲を撮影する撮影手段と、
前記撮影手段を利用した安否報告処理の実行を前記ユーザに報知する報知手段と、
前記撮影手段で撮影された前記ユーザの身体の一部または前記身体への装着物に基づいて安否情報を監視センタへ送信する前記安否報告処理を実行する処理手段と
を備えるウェアラブル端末。
【請求項２】
前記処理手段は、前記安否情報の送信を要求する通知を前記監視センタから受信したとき前記安否報告処理を実行し、前記撮影手段による撮影画像を解析して前記安否情報を生成する
請求項１に記載のウェアラブル端末。
【請求項３】
前記処理手段は、予め記憶されたスケジュールに基づいて前記安否報告処理を実行し、前記撮影手段による撮影画像を解析して前記安否情報を生成する
請求項１に記載のウェアラブル端末。
【請求項４】
前記安否報告処理の実行時、前記撮影手段による撮影中の撮影モードを、前記ユーザの身体の一部または前記装着物の撮影に適した撮影モードに移行制御する制御手段
を備える請求項１から３のいずれか一項に記載のウェアラブル端末。
【請求項５】
前記制御手段は、前記安否報告処理を終了したとき、前記撮影手段を前記移行制御前の撮影モードに戻す
請求項４に記載のウェアラブル端末。
【請求項６】
前記処理手段は、前記撮影手段で撮影された前記ユーザの手の動きまたは手の形状に基づいて前記安否情報を前記監視センタへ送信する
請求項１から請求項５のいずれか一項に記載のウェアラブル端末。
【請求項７】
ユーザに装着された状態で当該ユーザの周囲を撮影する撮影手段と、
前記撮影手段を利用した安否報告処理の実行を前記ユーザに報知する報知手段と、
前記撮影手段で撮影された前記ユーザの身体の一部または前記身体への装着物に基づいて安否情報を監視センタへ送信する前記安否報告処理を実行する処理手段と
を備えるウェアラブル端末と、
前記安否情報を受信する受信手段と、
前記受信手段が受信した安否情報に基づいて前記ユーザの安否を判定する判定手段と
を有する監視装置と、
を備える安否確認システム。
【請求項８】
ユーザに装着された状態で当該ユーザの周囲を撮影する撮影手段を利用した安否報告処理の実行を前記ユーザに報知する報知ステップと、
前記撮影手段で撮影された前記ユーザの身体の一部または前記身体への装着物に基づいて安否情報を監視センタへ送信する前記安否報告処理を実行する処理ステップと
を備える安否確認方法。
【請求項９】
コンピュータを、
ユーザに装着された状態で当該ユーザの周囲を撮影する撮影手段を利用した安否報告処理の実行を前記ユーザに報知する報知手段と、
前記撮影手段で撮影された前記ユーザの身体の一部または前記身体への装着物に基づいて安否情報を監視センタへ送信する前記安否報告処理を実行する処理手段
として機能させるためのプログラム。
【発明の詳細な説明】
【技術分野】
【０００１】
本発明は、ウェアラブル端末、安否確認システム、安否確認方法およびプログラムに関する。
【背景技術】
【０００２】
監視のための技術として、例えば特許文献１には、ヘルメットに装着したカメラおよびインターカムからの映像信号及び音声信号をウェストポーチに収納したエンコードサーバで記録することで、装着者が移動しながら映像および音声を記録するシステムが開示されている。また、特許文献１には、通信回線網を介してエンコードサーバがセンターサーバと双方向の通信を行うことが開示されている。
【先行技術文献】
【特許文献】
【０００３】
【特許文献１】特開２００６−１４８８４２号公報
【発明の概要】
【発明が解決しようとする課題】
【０００４】
施設やイベントに係わる警備員やスタッフは、定期的に送信される報告要請に応じて、携帯している装置で定期的に監視センタへ報告を行うが、定期的に報告を行う度に携帯している装置を操作して報告を行うのは繁雑である。また、携帯している装置を操作して報告を行う場合、報告を行うための動作により、警備員やスタッフの目視による監視が一時的に中断されることにもなり得る。
【０００５】
本発明は、繁雑な操作を行うことなく安否の報告を行う技術を提供すること目的とする。
【課題を解決するための手段】
【０００６】
本発明は、ユーザに装着された状態で当該ユーザの周囲を撮影する撮影手段と、前記撮影手段を利用した安否報告処理の実行を前記ユーザに報知する報知手段と、前記撮影手段で撮影された前記ユーザの身体の一部または前記身体への装着物に基づいて安否情報を監視センタへ送信する前記安否報告処理を実行する処理手段とを備えるウェアラブル端末を提供する。
【０００７】
本発明においては、前記処理手段は、前記安否情報の送信を要求する通知を前記監視センタから受信したとき前記安否報告処理を実行し、前記撮影手段による撮影画像を解析して前記安否情報を生成する構成としてもよい。
【０００８】
また、本発明においては、前記処理手段は、予め記憶されたスケジュールに基づいて前記安否報告処理を実行し、前記撮影手段による撮影画像を解析して前記安否情報を生成する構成としてもよい。
【０００９】
また、本発明においては、前記安否報告処理の実行時、前記撮影手段による撮影中の撮影モードを、前記ユーザの身体の一部または前記装着物の撮影に適した撮影モードに移行制御する制御手段を備える構成としてもよい。
【００１０】
また、本発明においては、前記制御手段は、前記安否報告処理を終了したとき、前記撮影手段を前記移行制御前の撮影モードに戻す構成としてもよい。
【００１１】
また、本発明においては、前記処理手段は、前記撮影手段で撮影された前記ユーザの手の動きまたは手の形状に基づいて前記安否情報を前記監視センタへ送信する構成としてもよい。
【００１２】
また、本発明は、ユーザに装着された状態で当該ユーザの周囲を撮影する撮影手段と、前記撮影手段を利用した安否報告処理の実行を前記ユーザに報知する報知手段と、前記撮影手段で撮影された前記ユーザの身体の一部または前記身体への装着物に基づいて安否情報を監視センタへ送信する前記安否報告処理を実行する処理手段とを備えるウェアラブル端末と、前記安否情報を受信する受信手段と、前記受信手段が受信した安否情報に基づいて前記ユーザの安否を判定する判定手段とを有する監視装置と、を備える安否確認システムを提供する。
【００１３】
また、本発明は、ユーザに装着された状態で当該ユーザの周囲を撮影する撮影手段を利用した安否報告処理の実行を前記ユーザに報知する報知ステップと、前記撮影手段で撮影された前記ユーザの身体の一部または前記身体への装着物に基づいて安否情報を監視センタへ送信する前記安否報告処理を実行する処理ステップとを備える安否確認方法を提供する。
【００１４】
また、本発明は、コンピュータを、ユーザに装着された状態で当該ユーザの周囲を撮影する撮影手段を利用した安否報告処理の実行を前記ユーザに報知する報知手段と、前記撮影手段で撮影された前記ユーザの身体の一部または前記身体への装着物に基づいて安否情報を監視センタへ送信する前記安否報告処理を実行する処理手段として機能させるためのプログラムを提供する。
【発明の効果】
【００１５】
本発明によれば、繁雑な操作を行うことなく安否の報告を行うことができる。
【図面の簡単な説明】
【００１６】
【図１】本発明の一実施形態に係る画像監視システム１を示した図。
【図２】ユーザが携帯端末１０を身に付けている状態を示した図。
【図３】携帯端末１０のハードウェア構成を示したブロック図。
【図４】携帯端末１０の機能構成を示したブロック図。
【図５】サーバ装置３０のハードウェア構成を示したブロック図。
【図６】サーバ装置３０の機能構成を示したブロック図。
【図７】制御部１０１が行う処理の流れを示したフローチャート。
【図８】ユーザが携帯端末１０を身に付けている状態を示した図。
【発明を実施するための形態】
【００１７】
［実施形態］
図１は、本発明の一実施形態に係る安否確認システムを利用した画像監視システムの一例を示した図である。画像監視システム１は、例えばイベントにおける不審人物や不審物の監視、不審人物や不審物の監視を行う者の安否確認に用いられる。なお、画像監視システム１は、イベントにおける監視だけではなく、施設における不審人物や不審物の監視にも適用できる。
【００１８】
通信網２は、インターネットや固定電話網、音声通信やデータ通信などの通信サービスを提供する移動体通信網などを含む。通信網２には、携帯端末１０が無線によって接続される。なお、通信網２には、複数の携帯端末１０を接続可能であるが、図においては図面が煩雑になるのを防ぐため、一つの携帯端末１０のみを示している。
【００１９】
本実施形態に係る携帯端末１０は、例えばスマートフォンである。携帯端末１０は、イベントの監視員およびスタッフが使用する。警備員は、例えばイベントの警備を行う事業者により雇用された人物である。スタッフは、例えば、イベントの運営に係る者やイベントを支援する者である。以下、説明の便宜上、警備員およびスタッフをユーザと称する。
【００２０】
携帯端末１０は、イベントが行われている監視エリアを内蔵カメラで撮影するため、ユーザの身体または衣服に装着される。図２は、ユーザが携帯端末１０を身に付けている状態の一例を示した図である。ユーザが着用しているベストＢには、携帯用ケース６０が取り付けられ、携帯端末１０は、この携帯用ケース６０に保持される。携帯端末１０は、図２に示したようにユーザが身に付けた状態で利用される端末であり、本発明に係るウェアラブル端末の一例である。携帯端末１０は、ユーザに装着された状態で内蔵カメラによる周囲の撮影が可能なように、内蔵カメラのレンズが携帯用ケース６０から露出している状態で収容される。携帯端末１０は、ユーザに装着された状態で、監視用にユーザの周囲を内蔵カメラで常時または断続的に撮影し、撮影した画像を監視センタ２０に送信する。
【００２１】
監視センタ２０は、例えばイベントの警備を行う事業者により運営される施設である。監視センタ２０には、サーバ装置３０と操作端末４０が設置される。本発明に係る監視装置の一例であるサーバ装置３０は、通信網２と、監視センタ２０内に設けられたＬＡＮ（Local Area Network）５０に接続されたコンピュータ装置である。サーバ装置３０は、通信網２を介して携帯端末１０と通信を行い、携帯端末１０に対して情報の送信および受信を行う。サーバ装置３０は、複数のユーザが装着する各々の携帯端末１０から受信した監視用の画像を解析することで、不審者や不審物の存在など監視エリアに発生した異常事象を検出する。
【００２２】
操作端末４０は、ＬＡＮ５０に接続されたコンピュータ装置であり、サーバ装置３０にアクセスするクライアント端末として機能する。操作端末４０は、例えば、デスクトップ型またはラップトップ型のパーソナルコンピュータである。操作端末４０は、監視センタ２０にて各ユーザを統括する管制員により操作され、サーバ装置３０が受信した複数の監視用の画像のマルチ画面表示や、異常事象の発生の管制員への報知を行う。なお、図１においては、一つの操作端末４０を示しているが、ＬＡＮ５０には複数の操作端末４０が接続可能である。
【００２３】
（携帯端末１０の構成）
図３は、携帯端末１０のハードウェア構成を示した図である。通信部１０５は、通信網２を介した通信を行う通信インターフェースである。オーディオ部１０７は、マイクロフォンとスピーカを有しており、音と音声の放音および収音を行う。タッチパネル１０３は、表示装置の一例である液晶ディスプレイと、表示装置の表面において指の接触を検知するセンサーとを組み合わせた装置である。タッチパネル１０３は、文字やＧＵＩ（Graphical User Interface）などを表示する。また、タッチパネル１０３は、ユーザが指で触れた位置をセンサーで検出する。
【００２４】
本発明に係る撮影手段の一例である撮影部１０９は、所謂内蔵カメラであり、撮像素子と、撮像素子に像を結像するレンズを有する。撮影部１０９は、撮像素子に結像した像を表す画像情報を生成し、生成した画像情報を制御部１０１へ出力する。本実施形態においては、撮影部１０９は、携帯端末１０の背面、即ちタッチパネル１０３を備える面とは反対側の面に設けられている。
【００２５】
記憶部１０２は、不揮発性メモリーを有しており、オペレーションシステムのプログラムやアプリケーションプログラムを記憶する。本実施形態においては、記憶部１０２は、ユーザの予め定められた動作の検出、サーバ装置３０への情報の送信およびサーバ装置３０から送信された情報の受信を行う監視用アプリケーションプログラムを記憶している。
【００２６】
制御部１０１は、ＣＰＵ（Central Processing Unit）およびＲＡＭ（Random Access Memory）を有する。制御部１０１は、記憶部１０２に記憶されているオペレーションシステムのプログラムやアプリケーションプログラムを実行する。オペレーションシステムのプログラムを実行した制御部１０１は、タッチパネル１０３が検出した指の位置と、タッチパネル１０３で表示されている画面に応じてユーザの操作を特定し、特定した操作に応じて各部の制御や各種処理を実行する。
【００２７】
制御部１０１は、監視用アプリケーションプログラムが実行されている間、撮影部１０９による撮影を行い、撮影部１０９で得られた画像情報を処理し、監視センタ２０のサーバ装置３０に順次送信する。また、撮影部１０９の撮影モードは監視センタ２０から遠隔制御可能であり、制御部１０１は、操作端末４０からサーバ装置３０を介して送信された制御信号を受信し、受信した制御信号に応じて撮影部１０９の撮影モードを制御する。例えば、制御部１０１は、撮影モードとして、ズームイン／アウト、露出、ホワイトバランスなどを制御する。
【００２８】
図４は、制御部１０１が監視用アプリケーションプログラムを実行することにより実現する機能のうち、本発明に係る機能の構成を示したブロック図である。本発明に係る報知手段の一例である報知部１００１は、オーディオ部１０７を制御し、撮影部１０９を利用した安否報告処理の実行をユーザに報知する。本発明に係る処理手段の一例である処理部１００２は、撮影部１０９で撮影されたユーザの身体の一部またはユーザの身体への装着物に基づいて安否情報を監視センタ２０へ送信する安否報告処理を実行する。本発明に係る制御手段の一例である撮影モード制御部１００３は、撮影部１０９の撮影モードを制御する。
【００２９】
（サーバ装置３０の構成）
図５は、サーバ装置３０のハードウェア構成を示した図である。通信部３０５は、通信網２を介した通信と、ＬＡＮ５０を介した通信を行う通信インターフェースとして機能する。記憶部３０２は、ハードディスク装置を有しており、オペレーションシステムのプログラムやアプリケーションプログラムを記憶している。本実施形態においては、記憶部３０２は、携帯端末１０への情報の送信および携帯端末１０から送信された情報の受信を行うアプリケーションプログラムを記憶している。また、記憶部３０２は、携帯端末１０から受信した画像情報を携帯端末１０ごとに記憶する。また、記憶部３０２は、ユーザの安否の報告を携帯端末１０のユーザへ指示するスケジュールを表すスケジュール情報を記憶している。例えば、スケジュール情報は、毎正時の時刻の情報を含む。スケジュール情報はユーザごとに設定してもよい。さらに、記憶部３０２は、携帯端末１０から受信した安否情報をユーザごとに記憶する。
【００３０】
制御部３０１は、ＣＰＵ（Central Processing Unit）およびＲＡＭ（Random Access Memory）を有する。制御部３０１は、記憶部３０２に記憶されているオペレーションシステムのプログラムやアプリケーションプログラムを実行する。オペレーションシステムのプログラムを実行した制御部３０１は、実行しているプログラムに従って各部の制御や各種処理を実行する。
【００３１】
制御部３０１は、携帯端末１０から送信されてくる監視用の画像情報について、異常検出処理を行う。異常検出処理において、制御部３０１は、監視用の画像情報を解析して不審者や不審物を検出する。不審者や不審物の検出方法については公知の画像解析技術を適用可能であり、ここでの説明は省略する。
【００３２】
図６は、制御部３０１がアプリケーションプログラムを実行することにより実現する機能のうち、本発明の安否確認に係る機能の構成を示したブロック図である。送信部３００１は、スケジュール情報で定められた時刻になると、安否の報告を要求する要求メッセージを、通信部３０５を制御して携帯端末１０へ送信する。本発明に係る受信手段の一例である受信部３００２は、携帯端末１０から送信される安否情報を受信する。本発明に係る判定手段の一例である判定部３００３は、受信部３００２が受信した安否情報に基づいてユーザの安否を判定する。
【００３３】
（実施形態の動作例）
次に本実施形態の動作例について説明する。イベント監視の配置についたユーザは、携帯端末１０を操作して監視用アプリケーションを起動させた状態で、携帯端末１０を装着する。携帯端末１０は、ユーザが向いている方向を撮影部１０９で常時撮影し、撮影部１０９が生成した画像情報をサーバ装置３０へ送信する。サーバ装置３０は、複数の携帯端末１０から送信される画像情報を取得する。サーバ装置３０は、取得した画像情報に対して異常検出処理を実行し、画像解析により不審者等の異常事象が検出された場合、操作端末４０へ異常事象が発生した旨を通知し、異常内容を表示させる。
【００３４】
また、操作端末４０は、サーバ装置３０が取得した複数の画像情報が表す画像を、マルチ画面上に表示する。これにより、監視センタ２０の管制員は、携帯端末１０のユーザが監視している場所の映像を見ることができる。また、管制員は、表示されている画像の明るさ等の調整や光学ズーム等の調整の必要が生じた場合、操作端末４０を操作し、サーバ装置３０を介して特定の携帯端末１０へ撮影モードの変更を指示する制御信号を送信する。なお、携帯端末１０は、監視用の撮影中において、露出補正やホワイトバランス調整などが自動制御される撮影モードで撮影される。一方、オートフォーカス機能については、近傍の被写体が写り込むたびに遠方の被写体が不鮮明な画像が撮影されることを防ぐため、オートフォーカス機能をオフにするか、近距離側（例えば１ｍ以内）へのフォーカス処理は行わないように撮影モードを設定してもよい。
【００３５】
サーバ装置３０（送信部３００１）は、スケジュール情報で定められた時刻になると、安否の報告を要求する要求メッセージを携帯端末１０へ送信する。携帯端末１０は、サーバ装置３０が送信した要求メッセージを受信する。要求メッセージを受信した制御部１０１は、図７に示した安否報告処理を実行する。まず制御部１０１（撮影モード制御部１００３）は、撮影部１０９を制御し、携帯端末１０の背面側の撮像素子およびレンズをユーザの身体の撮影に適した状態（撮影モード）にする（ステップＳＡ１）。ユーザの身体を撮影するのに適した状態とは、ユーザの手を撮影するのに適した状態、即ち近距離を撮影するのに適した状態であり、例えばレンズを広角側にズーム制御した状態や、近距離にフォーカスし易く制御された状態である。したがって、携帯端末１０は、監視センタ２０からの遠隔操作によって望遠側にズームイン制御されている状態のときに要求メッセージを受信すると、ズームアウト制御し、マクロモードの撮影モードに切り替える。
【００３６】
制御部１０１（報知部１００１）は、ステップＳＡ１の処理を終えると、オーディオ部１０７を制御してスピーカから予め定められた報知音を放音する（ステップＳＡ２）。この報知音は、安否報告処理の実行（開始）をユーザに報知する報知音であり、例えば、「安否報告を行ってください」といった音声メッセージである。ユーザは、報知音を聞くことで安否報告のタイミングが到来したことと、安否報告処理が開始されたことを認識し、安否報告のための予め定められた動作（安否報告動作）を行う。具体的には、ユーザは、手の形を安否に応じた形とし、撮影部１０９のレンズの前に手を移動させる。例えば、ユーザは、特に異変なく通常の監視を行えている場合は、右手の指を開いた状態にして撮影部１０９の前に移動させる。一方、ユーザは、自身の体調悪化や、周囲に異変が生じている場合には、右手を拳の状態、即ち、手を握り固めた状態にして撮影部１０９の前に移動させる。
【００３７】
続いて制御部１０１（処理部１００２）は、撮影部１０９から供給される画像情報からユーザの手の形を認識する認識処理を開始する。制御部１０１は、画像情報を解析し、予め登録されている手の形状パターンと合致する物体を画像情報から抽出することで、ユーザの手の形を認識する（ステップＳＡ３）。手の形状パターンは、手を拳の状態および手の指を開いた状態で多方向から撮影した画像から得られた、一般モデルとしての手の形状を示すデータである。制御部１０１は、ユーザの手の形を認識すると、ユーザの安否を表す安否情報を、認識結果に応じて生成する（ステップＳＡ４）。例えば、制御部１０１は、認識したユーザの手の形が拳の状態である場合、異変が生じていることを表す「異変あり」の安否情報を生成する。また、制御部１０１は、認識したユーザの手の形が指を開いた状態である場合、異変が生じていないことを表す「異変なし」の安否情報を生成する。
【００３８】
次に制御部１０１は、携帯端末１０の識別情報およびステップＳＡ４で生成した安否情報を、通信部１０５を制御してサーバ装置３０へ送信する（ステップＳＡ５）。制御部１０１（撮影モード制御部１００３）は、安否情報の送信を終えると、撮影部１０９の撮影モードを、要求メッセージを受信する前の通常の監視用の撮影を行っていた状態に戻す（ステップＳＡ６）。
【００３９】
サーバ装置３０（受信部３００２）は、携帯端末１０が送信した安否情報と識別情報を受信する。サーバ装置３０は、受信した安否情報を、識別情報から特定される携帯端末１０を所持するユーザのユーザ名および安否情報を受信した日時と対応付けて記憶部３０２に記憶させる。
【００４０】
サーバ装置３０（判定部３００３）は、携帯端末１０から「異変あり」の安否情報を受信した場合、または、要求メッセージを送信してから予め定められた時間が経過するまでの間に携帯端末１０から安否情報が送信されなかった場合、当該携帯端末１０のユーザについて安否異常が発生したと判定する。そして、サーバ装置３０は、安否異常が発生したことを、該当する携帯端末１０の識別情報、ユーザ名、日時とともに、操作端末４０へ通知する。操作端末４０は、安否異常の通知を受信すると、安否異常を通知するメッセージ、受信したユーザ名および日時を表示するとともに、当該ユーザの位置などの勤務ステータスを示す情報を表示する。
【００４１】
なお、サーバ装置３０は、安否異常が発生した場合だけでなく、受信したすべての安否情報を操作端末４０に通知し、安否情報の一覧を表示させてもよい。また、サーバ装置３０は、要求メッセージを送信してから予め定められた時間が経過するまでの間に安否報告がなかった場合、「異変あり」とは区別して「無応答」として記憶部３０２に安否報告結果を記憶し、操作端末４０へ安否異常を通知してもよい。
【００４２】
以上説明したように本実施形態によれば、ユーザが携帯端末１０を操作するためのインターフェースを直接操作しなくても、ユーザの安否を監視センタ２０へ報告することができる。これにより、安否報告にかかる監視業務への影響を低減することができる。
【００４３】
［変形例］
以上、本発明の実施形態について説明したが、本発明は、上述した実施形態に限定されるものではなく、他の様々な形態で実施可能である。例えば、上述の実施形態を以下のように変形して本発明を実施してもよい。なお、上述した実施形態および以下の変形例は、各々を組み合わせてもよい。
【００４４】
上述した実施形態においては、携帯端末１０は、要求メッセージを受信した後、撮影部１０９の制御を行ってから報知音を放音しているが、上述したステップＳＡ１とステップＳＡ２の順番を入れ替えてもよい。すなわち、報知音は、安否報告のタイミングが到来したことを知らせるために出力され、安否報告動作の認識を行う処理が開始されたまたは開始する旨をユーザに認識させることができればよい。
【００４５】
携帯端末１０は、スマートフォンに限定されるものではなく、通信網２を介した通信が可能であればよい。例えば、携帯端末１０は、フィーチャーフォン、タブレット端末であってもよい。また、携帯端末１０は、ユーザが着用する衣服に一体化したもの、眼鏡型のもの、頭部に装着する形状のもの、腕に装着する形状のものなどであってもよい。また、携帯端末１０は、撮影部１０９と通信部１０５とが別体に構成されてもよく、この場合、撮影部１０９がユーザの周囲を撮影可能なように装着される。
【００４６】
上述した実施形態においては、携帯端末１０は、撮影部１０９で常時撮影を行っているが、間欠的に撮影を行う構成であってもよく、また、携帯端末１０は、サーバ装置３０からの指示に応じて撮影の開始と停止を行ってもよい。
【００４７】
本発明においては、制御部１０１は、サーバ装置３０から送信される要求メッセージの受信に応じて、図７の安否報告処理を行っているが、要求メッセージの受信とは異なる契機で、安否報告処理を開始してもよい。例えば、制御部１０１は、上述のスケジュール情報を記憶し、スケジュール情報で定められた時刻になると、安否報告処理を実行してもよい。また、サーバ装置３０から発行される要求メッセージは、操作端末４０を介した管制員の指示操作に応じて送信されてもよい。
【００４８】
また、安否報告動作は、監視のために撮影中の撮影部１０９で認識可能なユーザの動作であれば、上述した実施形態で説明した動作に限定されるものではない。上述した実施形態においては、制御部１０１は、認識したユーザの手の形に応じて安否情報を生成しているが、手の形に替えて、例えば、ユーザの指の形または腕の形状を認識し、認識結果に応じて安否情報を生成してもよい。具体的には、制御部１０１は、人差し指を曲げた状態を認識した場合には、「異変あり」の安否情報を生成し、人差し指を伸ばした状態を認識した場合には、「異変なし」の安否情報を生成してもよい。また、制御部１０１は、手首を曲げた状態を認識した場合には、「異変あり」の安否情報を生成し、手首を伸ばした状態を認識した場合には、「異変なし」の安否情報を生成してもよい。また、制御部１０１は、ユーザが行うジェスチャーを認識し、認識結果に応じて安否情報を生成してもよい。例えば、制御部１０１は、手を一回振る動きを認識した場合には、「異変なし」の安否情報を生成し、手を二回振る動きを認識した場合には、「異変あり」の安否情報を生成してもよい。
【００４９】
上述した実施形態においては、認識したユーザの手の形に応じて安否情報を生成しているが、安否情報の生成に際して制御部１０１が認識するのは手に限定されるものではない。図８は、本変形例における携帯端末１０の使用状態の一例を示した図である。携帯端末１０を収容する携帯用ケース６０は、図８に示したように、携帯端末１０の表面、即ちタッチパネル１０３がある側の面を上側に向けた状態とすることが可能となっている。本変形例の場合、携帯端末１０は、表面側のタッチパネル１０３の上部にも撮影部１０９を備え、制御部１０１は、ステップＳＡ１において、表面側の撮影部１０９の撮像素子およびレンズの状態を、ユーザの顔の撮影に適した状態にし、ステップＳＡ２で報知音を放音した後、ステップＳＡ３に替えてユーザの顔を認識する。次に制御部１０１は、ユーザの顔の認識結果に応じて安否情報を生成する。例えば、制御部１０１は、認識したユーザの顔が、左眼を開いて右眼を閉じた状態である場合、「異変なし」の安否情報を生成する。また、制御部１０１は、認識したユーザの表情が両目を閉じた状態である場合、「異変あり」の安否情報を生成する。なお、本変形例においては、制御部１０１は、左眼および右眼の形状に応じて安否情報を生成するのではなく、瞼の動きを認識し、認識結果に応じて安否情報を生成してもよい。例えば、制御部１０１は、ユーザの顔を認識した後、３秒間の間にユーザが右眼で瞬きを一回行ったことを認識した場合、「異変なし」の安否情報を生成する。一方、制御部１０１は、ユーザの顔を認識した後、３秒間の間にユーザが左眼で瞬きを二回行ったことを認識した場合、「異変あり」の安否情報を生成する。本変形例においても、ユーザが携帯端末１０を直接操作しなくても、ユーザの安否を監視センタ２０へ送信することができる。本変形例において、眼の開閉パターンや、瞬きの回数およびパターンは自由に設定可能である。
【００５０】
上述した実施形態においては、携帯端末１０は、ユーザの身体の一部を認識しているが、ユーザが身体に身に付けているものを認識し、認識結果に応じて安否情報を生成してもよい。例えば、ユーザは、手のひら側が黒色、手の甲側が白色の手袋を着用し、報知音に応じて手を撮影部１０９のレンズの前に移動させる。制御部１０１は、画像解析により近傍にある所定の大きさおよび色の物体を抽出して手袋の存在およびその色を認識し、黒色の手袋を認識した場合、「異変あり」の安否情報を生成し、白色の手袋を認識した場合、「異変なし」の安否情報を生成してもよい。また、別の変形例においては、ユーザは、手のひらに×、手の甲側に○が描かれた手袋を着用し、報知音に応じて手を撮影部１０９のレンズの前に移動させる。制御部１０１は、手袋と手袋に描かれたものを認識し、○の形状を認識した場合、「異変なし」の安否情報を生成し、×の形状を認識した場合、「異変あり」の安否情報を生成してもよい。また、上述した変形例では、携帯端末１０は、手袋の色や手袋に描かれたものを認識しているが、手袋ではなくリストバンドの色やリストバンドに描かれたものを認識し、認識結果に応じて安否情報を生成してもよい。
【００５１】
上述した実施形態においては、携帯端末１０は、ユーザの身体の一部を認識しているが、ユーザが身に付けているものの形状を認識し、認識結果に応じて安否情報を生成してもよい。例えば、携帯端末１０は、ユーザが手袋を着用している場合、手袋の形状を認識し、認識した手袋の形状が拳の形状である場合には、「異変あり」の安否情報を生成し、認識した手袋の形状が指を開いた形状である場合には、「異変なし」の安否情報を生成してもよい。
【００５２】
本発明においては、携帯端末１０は、生成した安否情報の内容をユーザに知らせる構成であってもよい。例えば、携帯端末１０は、生成した安否情報の内容を音声でユーザに伝える構成であってもよい。
【符号の説明】
【００５３】
１…画像監視システム、２…通信網、１０…携帯端末、２０…監視センタ、３０…サーバ装置、４０…操作端末、５０…ＬＡＮ、６０…携帯用ケース、１０１…制御部、１０２…記憶部、１０３…タッチパネル、１０５…通信部、１０７…オーディオ部、１０９…撮影部、３０１…制御部、３０２…記憶部、３０５…通信部、１００１…報知部、１００２…処理部、１００３…撮影モード制御部、３００１…送信部、３００２…受信部、３００３…判定部、Ｂ…ベスト
【図１】
2018163430.tif 000003
【図２】
2018163430.tif 000004
【図３】
2018163430.tif 000005
【図４】
2018163430.tif 000006
【図５】
2018163430.tif 000007
【図６】
2018163430.tif 000008
【図７】
2018163430.tif 000009
【図８】
2018163430.tif 000010